(57)【要約】【課題】構造を簡素化することが可能なコネクタを提供する。【解決手段】タブ部１１Ａを有する端子金具１１を、タブ部１１Ａを前方に突出させた状態で保持する第１ハウジング１０と、第１ハウジング１０と嵌合可能な第２ハウジング５０と、タブ部１１Ａを挿通可能な貫通孔３１を有し、タブ部１１Ａの突出方向に移動可能なムービングプレート３０と、ムービングプレート３０に設けられ、第１ハウジング１０に係止してムービングプレート３０を初期位置に保持するとともに、第１ハウジング１０と第２ハウジング５０とが嵌合する際にムービングプレート３０が第２ハウジング５０に押されることにより、第１ハウジング１０との係止が解除されるロック片３４と、ロック片３４に設けられ、第１ハウジング１０と第２ハウジング５０とが離脱する際に、第２ハウジング５０に係止する係止部３９と、を備えている。【選択図】図７
2017188244.tif 000002
【特許請求の範囲】
【請求項１】
タブ部を有する端子金具を、前記タブ部を前方に突出させた状態で保持する第１ハウジングと、
前記第１ハウジングと嵌合可能な第２ハウジングと、
前記タブ部を挿通可能な貫通孔を有し、前記タブ部の突出方向に移動可能なムービングプレートと、
前記ムービングプレートに設けられ、前記第１ハウジングに係止して前記ムービングプレートを初期位置に保持するとともに、前記第１ハウジングと前記第２ハウジングとが嵌合する際に前記ムービングプレートが前記第２ハウジングに押されることにより、前記第１ハウジングとの係止が解除されるロック片と、
前記ロック片に設けられ、前記第１ハウジングと前記第２ハウジングとが離脱する際に、前記第２ハウジングに係止する係止部と、
を備えているコネクタ。
【請求項２】
前記第１ハウジングが、前記タブ部を前方に突出させた状態で前記端子金具を保持する端子保持部と、前記端子保持部の前方において前記タブ部を囲うように設けられたフード部とを備え、
前記ムービングプレートが、前記フード部の内部において前後方向に移動可能とされ、前記ロック片が前記フード部の内周面に係止するようになっている請求項１に記載のコネクタ。
【請求項３】
前記ロック片が、前記初期位置において前記フード部の内周面に係止して前記ムービングプレートの前方への移動および後方への移動を規制するロック突部を有している請求項２に記載のコネクタ。
【発明の詳細な説明】
【技術分野】
【０００１】
本発明は、コネクタに関する。
【背景技術】
【０００２】
従来、タブ部を有する雄側の端子金具を保持するハウジングに、タブ部を保護するためのムービングプレートが備えられたコネクタが知られている。例えば下記特許文献１に記載されたコネクタの雄側ハウジングは、タブ部の周囲を囲うような筒状のフード部を有し、ムービングプレートは、フード部の内側に取り付けられている。ムービングプレートは、フード部の開口を塞ぐとともに端子金具のタブ部を挿通可能なガイド孔を有した基板と、基板の周縁からフード部の内周面に沿うように延設されたガイド壁とを有している。フード部は、先端に係合突起が設けられた仮係止用可撓片を備え、ムービングプレートのガイド壁には、仮係止用可撓片に対応する部分に係合用切欠き部が形成されている。また、ムービングプレートには、先端に係合突起を有するリブが設けられ、雌側ハウジングには、先端に係合突起を有する係合アームが設けられている。
【０００３】
ムービングプレートは、フード部の仮係止用可撓片がムービングプレートの係合用切欠き部に係合することにより、フード部の開口側に仮止めされ、コネクタの嵌合時には、フード部の奥側に移動するとともに、雌側ハウジングの係合アームとムービングプレートのリブとが係合した状態になる。コネクタを離脱する際には、係合アームとリブとが係合していることにより、雌側ハウジングとともにムービングプレートがフード部の開口側に引き戻される。これにより、再度コネクタを嵌合する際に、ムービングプレートの引き戻し作業を行う必要がない。
【先行技術文献】
【特許文献】
【０００４】
【特許文献１】特開平９−２１９２３５号公報
【発明の概要】
【発明が解決しようとする課題】
【０００５】
しかしながら、上記のような構成では、ムービングプレートをフード部の開口側に仮止めするための手段と、コネクタの離脱時にムービングプレートを引き戻すための手段とを別々に設けているから構造が複雑化するという問題があった。
【０００６】
本発明は上記のような事情に基づいて完成されたものであって、構造を簡素化することが可能なコネクタを提供することを目的とする。
【課題を解決するための手段】
【０００７】
本発明のコネクタは、タブ部を有する端子金具を、前記タブ部を前方に突出させた状態で保持する第１ハウジングと、前記第１ハウジングと嵌合可能な第２ハウジングと、前記タブ部を挿通可能な貫通孔を有し、前記タブ部の突出方向に移動可能なムービングプレートと、前記ムービングプレートに設けられ、前記第１ハウジングに係止して前記ムービングプレートを初期位置に保持するとともに、前記第１ハウジングと前記第２ハウジングとが嵌合する際に前記ムービングプレートが前記第２ハウジングに押されることにより、前記第１ハウジングとの係止が解除されるロック片と、前記ロック片に設けられ、前記第１ハウジングと前記第２ハウジングとが離脱する際に、前記第２ハウジングに係止する係止部と、を備えている。
【発明の効果】
【０００８】
本発明によれば、ムービングプレートに設けられたロック片によってムービングプレートが初期位置に保持され、またロック片に設けられた係止部が第２ハウジングに係止することにより、第２ハウジングとともにムービングプレートが引き戻される。すなわち、一のロック片が、ムービングプレートを初期位置に保持する手段と、ムービングプレートの引き戻しを行う手段とを兼ね備えているから、構造を簡素化することができる。
【図面の簡単な説明】
【０００９】
【図１】本実施例における第１ハウジングであって、ムービングプレートを組み付ける様子を示す部分拡大断面図
【図２】ムービングプレートが初期位置に取り付けられた状態を示す第１ハウジングの部分拡大断面図
【図３】ムービングプレートが初期位置に取り付けられた状態を示す第１ハウジングの部分拡大側面図
【図４】第２ハウジングがムービングプレートに当接した状態を示すコネクタの部分拡大断面図
【図５】ムービングプレートが第２ハウジングに押されてロック片と第１ハウジングとの係止が解除された状態を示すコネクタの部分拡大断面図
【図６】正規の嵌合状態を示すコネクタの部分拡大断面図
【図７】第２ハウジングにロック片の係止部が係止して第２ハウジングとともにムービングプレートが引き戻される様子を示すコネクタの部分拡大断面図
【発明を実施するための形態】
【００１０】
本発明の好ましい形態を以下に示す。
本発明のコネクタは、前記第１ハウジングが、前記タブ部を前方に突出させた状態で前記端子金具を保持する端子保持部と、前記端子保持部の前方において前記タブ部を囲うように設けられたフード部とを備え、前記ムービングプレートが、前記フード部の内部において前後方向に移動可能とされ、前記ロック片が前記フード部の内周面に係止するようになっているものとしてもよい。このような構成によれば、ロック片が外部に露出しないから、ロック片に異物が接触することを防ぐことができる。
【００１１】
また、本発明のコネクタは、前記ロック片が、前記初期位置において前記フード部の内周面に係止して前記ムービングプレートの前方への移動および後方への移動を規制するロック突部を有しているものとしてもよい。このような構成によれば、ロック片のロック突部が、初期位置においてムービングプレートの前方への移動および後方への移動を規制する手段を兼ね備えているから、これらの手段を別々に設ける場合に比して構造を簡素化することができる。
【００１２】
＜実施例＞
以下、本発明を具体化した一実施例について、図１〜図７を参照しつつ詳細に説明する。
本実施例におけるコネクタＣは、互いに嵌合可能な第１ハウジング１０と第２ハウジング５０とを備え、第１ハウジング１０にはムービングプレート３０が備えられている。以下、各構成部材において、両ハウジング１０，５０における嵌合面側（第１ハウジング１０およびムービングプレート３０においては図１の左側、第２ハウジング５０においては図４の右側）をそれぞれ前方として説明する。
【００１３】
第１ハウジング１０は、タブ部１１Ａを有する雄側端子金具１１を保持する雄側のハウジングである。第１ハウジング１０は、合成樹脂製であって、タブ部１１Ａを前方に突出させた状態で端子金具１１を保持する端子保持部１２と、タブ部１１Ａを囲うように設けられたフード部１３とを備えている。端子保持部１２とフード部１３とは、一体に形成されている。端子保持部１２には、後方から端子金具１１を挿入可能な複数のキャビティ１４が設けられている。
【００１４】
フード部１３は、端子保持部１２の外周縁から前方に突出した筒状をなしている。フード部１３の内周面には、後述するムービングプレート３０のロック片３４が係止可能な突起部１５が突設されている。突起部１５は、フード部１３の前端部に設けられている。フード部１３のうち突起部１５よりも後側の部分は、フード部１３の内周面に凹み形成されて第１ハウジング１０の後端面まで延びて開口する開口溝部１６とされている。突起部１５の突出端面は、フード部１３の内周面と面一になっている。
【００１５】
突起部１５の前面は、フード部１３の前端から後方に向かって次第に突出寸法が増すように緩やかに傾斜し、後述するロック片３４の乗り上がり動作を誘導する誘導面１７とされている。突起部１５の後面は、後述するロック片３４のロック突部３６が後方から突き当たってムービングプレート３０の前方への移動（離脱）を防止するストッパ面１８とされている。ストッパ面１８は、前後方向に対して略直交する面とされている。
【００１６】
フード部１３の内周面のうち突起部１５と隣接した部位には、嵌合溝部１９が形成されている（図３参照）。嵌合溝部１９は、フード部１３の前端から突起部１５よりも後側の位置に至って形成された開口であり、フード部１３の内外両側に貫通している。嵌合溝部１９は、略長方形状をなして前方に開放された形態をなしている。
【００１７】
嵌合溝部１９の後面は、後述するロック片３４に設けられたロック突部３６が前方から係止してムービングプレート３０の後方移動を規制する移動規制面２１とされている（図２参照）。移動規制面２１は、前後方向に対して略直交する面とされている。
【００１８】
ムービングプレート３０は、フード部１３の内側に挿入されるものであり、フード部１３の内部において前後方向（タブ部１１Ａの突出方向）に移動可能とされている。ムービングプレート３０は、フード部１３の開口を塞ぐととともにタブ部１１Ａを挿通可能な貫通孔３１を有するプレート本体３２と、プレート本体３２の周縁から前方に延設されたガイド壁３３とを備えている。
【００１９】
ムービングプレート３０には、第１ハウジング１０に係止してムービングプレート３０を初期位置に保持するロック片３４が設けられている（図２参照）。初期位置においては、ムービングプレート３０のプレート本体３２が第１ハウジング１０の端子保持部１２の前面からフード部１３の開口側に離れて位置し、タブ部１１Ａの先端部が貫通孔３１に挿入される。
【００２０】
ロック片３４は、ガイド壁３３に設けられており、ガイド壁３３の前端から後方に略平行に延びて形成された一対のスリット３５の間に形成されている（図３参照）。ロック片３４は、前方に向かって片持ち状に延びた形態をなし、ガイド壁３３の内外方向に弾性撓み可能とされている。ロック片３４が自然状態であるときには、ロック片３４の内外両面とガイド壁３３の内外両面とが面一で配される。ロック片３４の前端は、ガイド壁３３の前端よりも後方に引っ込んだ位置に配されている。
【００２１】
ロック片３４の前端部（自由端）には、第１ハウジング１０の内周面に係止可能なロック突部３６が外向きに突出して設けられている（図２参照）。ロック突部３６の前面は、ストッパ面１８に突き当たる突当面３７とされ、前後方向に対して略直交する面とされている。ロック突部３６の後面は、第１ハウジング１０の移動規制面２１に係止する移動規制係止面３８とされている。移動規制係止面３８は、前後方向に対して若干傾いており、移動規制係止面３８と移動規制面２１との当接力が増すことにより、ロック突部３６が係止解除方向（内方）に変位するようになっている。すなわち、ムービングプレート３０と第１ハウジング１０との係止構造は、ムービングプレート３０を後方に押圧する力が所定の力に達することによって係止解除がなされる、いわゆるセミロック構造となっている。
【００２２】
ロック片３４には、第１ハウジング１０と第２ハウジング５０とが離脱する際に、第２ハウジング５０に係止する係止部３９が内向きに突出して設けられている（図７参照）。係止部３９は、ロック突部３６よりも後方に位置している。係止部３９の後面は、後述する第２ハウジング５０の戻り係止面５５に係止可能な戻り係止受け面４１とされている。戻り係止受け面４１は、前後方向に対して略直交する面とされている。なお、係止部３９の前面は、後方に向かって突出寸法が増すように傾斜している。
【００２３】
第２ハウジング５０は、雄側の端子金具１１と接続可能な雌側の端子金具５１を保持する雌側のハウジングである。第２ハウジング５０は、合成樹脂製であって、ムービングプレート３０のガイド壁３３の内側に嵌合可能なブロック形状をなしている。第２ハウジング５０には、端子金具５１が後方から挿入される複数のキャビティ５２が設けられている。
【００２４】
第２ハウジング５０の外面には、ムービングプレート３０のロック片３４に対応する部位に、前後方向に延びる第１溝部５３が凹み形成されている。第１溝部５３は、第２ハウジング５０の前端から後端まで直線状に延びている。第１溝部５３の深さ寸法は、図４に示すように、ロック片３４の係止部３９の突出寸法と同等もしくは若干大きい寸法とされている。
【００２５】
第２ハウジング５０の外面には、第１溝部５３の底部を一段深く掘り下げた形態で第２溝部５４が形成されている。第２溝部５４は、第２ハウジング５０の前後方向における中央よりも若干前寄りの位置から後端にわたって直線状に延びて設けられている。第２溝部５４の前端面は、図７に示すように、ロック片３４の係止部３９に係止可能な戻り係止面５５とされている。戻り係止面５５は、前後方向に対して略直交する面とされている。
【００２６】
次に、本実施例におけるコネクタＣの嵌合および離脱作業の一例を説明する。
まず、ムービングプレート３０を第１ハウジング１０に取り付ける（図１参照）。プレート本体３２が先にフード部１３に入る向きにして、フード部１３の開口側からムービングプレート３０をフード部１３の内部に挿入する。すると、タブ部１１Ａの先端部がプレート本体３２の貫通孔３１に挿入され、ガイド壁３３がフード部１３の内周面に沿った状態になる。ロック片３４のロック突部３６は、第１ハウジング１０の突起部１５の誘導面１７に当接し、誘導面１７の傾斜によって次第に突起部１５に乗り上がり、ロック片３４は内側に弾性撓みする。
【００２７】
図２に示すように、ムービングプレート３０が初期位置に至ると、ロック片３４のロック突部３６が第１ハウジング１０の突起部１５を乗り越えて開口溝部１６に嵌合し、ロック片３４は外側に弾性復帰する。ロック突部３６の突当面３７と突起部１５のストッパ面１８、およびロック突部３６の移動規制係止面３８と嵌合溝部１９の移動規制面２１が、それぞれ前後方向に対向配置されることで、ムービングプレート３０は前後方向の移動が規制されて、初期位置に保持される。
【００２８】
次に、コネクタＣを嵌合する。第２ハウジング５０をムービングプレート３０のガイド壁３３の内側に嵌合すると、ロック片３４の係止部３９は第１溝部５３に入り込み、第２ハウジング５０はロック片３４の係止部３９に引っ掛かることなくガイド壁３３の奥側に進む（図４参照）。やがて、第２ハウジング５０の前面が、プレート本体３２に接近し、タブ部１１Ａの先端が第２ハウジング５０のキャビティ５２内に挿入された後、第２ハウジング５０の前面がプレート本体３２の前面に当接する。このとき、第１溝部５３に入り込んでいるロック片３４の係止部３９の内側に、第２溝部５４の前端部が位置した状態になる。
【００２９】
第２ハウジング５０を嵌合方向に押圧すると、ムービングプレート３０のプレート本体３２が押圧され、押圧力が所定の大きさになると、ロック片３４と第１ハウジング１０とのロックが解除され、図５に示すように、ロック片３４が内側に弾性撓みして係止部３９が第２溝部５４に入り込む。これにより、ムービングプレート３０の後方への移動が許容された状態になる。第２ハウジング５０とムービングプレート３０とは、連れ立ってフード部１３の奥側に進み、図６に示すように、ムービングプレート３０のプレート本体３２が第１ハウジング１０の端子保持部１２の前面（フード部１３の奥面）に当接し、コネクタＣは正規の嵌合状態になる。
以上により、コネクタＣの嵌合作業が完了する。
【００３０】
コネクタＣを離脱する場合には、第２ハウジング５０と第１ハウジング１０とを引き離すようにする。すると、図７に示すように、第２ハウジング５０がフード部１３の開口側に移動し、第２ハウジング５０の第２溝部５４の戻り係止面５５が、ロック片３４の係止部３９の戻り係止受け面４１に当接する。第２溝部５４の戻り係止面５５と、ロック片３４の戻り係止受け面４１との係止によって、ムービングプレート３０は第２ハウジング５０とともにフード部１３の開口側に引き戻される。
【００３１】
ロック片３４のロック突部３６が嵌合溝部１９に至るとロック片３４が外側に弾性復帰し、係止部３９は第２溝部５４から外側に変位して第１溝部５３に入った状態になる（図４参照）。すなわち、ロック片３４と第２ハウジング５０との係止状態が解除され、かわりに、ロック片３４と第１ハウジング１０とが係止状態になる。これにより、ムービングプレート３０はフード部１３の内部に留まり、第２ハウジング５０のみが離脱される。
以上により、コネクタＣの離脱作業が完了する。
【００３２】
次に、上記のように構成された実施例の作用および効果について説明する。
本実施例のコネクタＣは、タブ部１１Ａを有する端子金具１１を、タブ部１１Ａを前方に突出させた状態で保持する第１ハウジング１０と、第１ハウジング１０と嵌合可能な第２ハウジング５０と、タブ部１１Ａを挿通可能な貫通孔３１を有し、タブ部１１Ａの突出方向に移動可能なムービングプレート３０と、を有し、ムービングプレート３０には、第１ハウジング１０に係止してムービングプレート３０を初期位置に保持するとともに、第１ハウジング１０と第２ハウジング５０とが嵌合する際にムービングプレート３０が第２ハウジング５０に押されることにより、第１ハウジング１０との係止が解除されるロック片３４が設けられ、ロック片３４には、第１ハウジング１０と第２ハウジング５０とが離脱する際に、第２ハウジング５０に係止する係止部３９が設けられているものである。
【００３３】
この構成によれば、ムービングプレート３０に設けられたロック片３４によってムービングプレート３０が初期位置に保持され、またロック片３４に設けられた係止部３９が第２ハウジング５０に係止することにより、第２ハウジング５０とともにムービングプレート３０が引き戻される。すなわち、一のロック片３４が、ムービングプレート３０を初期位置に保持する手段と、ムービングプレート３０の引き戻しを行う手段とを兼ね備えているから、構造を簡素化することができる。
【００３４】
また、第１ハウジング１０が、タブ部１１Ａを前方に突出させた状態で端子金具１１を保持する端子保持部１２と、端子保持部１２の前方においてタブ部１１Ａを囲うように設けられたフード部１３とを備え、ムービングプレート３０が、フード部１３の内部において前後方向に移動可能とされ、ロック片３４がフード部１３の内周面に係止するようになっている。この構成によれば、ロック片３４が外部に露出しないから、ロック片３４に異物が接触することを防ぐことができる。
【００３５】
また、ロック片３４が、初期位置においてフード部１３の内周面に係止してムービングプレート３０の前方への移動および後方への移動を規制するロック突部３６を有している。この構成によれば、初期位置においてロック片３４のロック突部３６が、ムービングプレート３０の前方への移動および後方への移動を規制する手段を兼ね備えているから、これらの手段を別々に設ける場合に比して構造を簡素化することができる。
【００３６】
＜他の実施例＞
本発明は上記記述及び図面によって説明した実施例に限定されるものではなく、例えば次のような実施例も本発明の技術的範囲に含まれる。
（１）上記実施例では、レバーが備えられていないコネクタＣを例示したが、これに限らず、本発明はレバー付きのコネクタにも適用することができる。
（２）上記実施例では、第１ハウジング１０が、端子保持部１２とフード部１３とを備え、ムービングプレート３０のロック片３４がフード部１３の内周面に係止するようになっているが、これに限らず、第１ハウジングはフード部を備えていなくても良く、ムービングプレートのロック片は例えば第１ハウジングの外面に係止するようにしてもよい。
（３）上記実施例では、第１ハウジング１０が、端子保持部１２とフード部１３とを備え、ムービングプレート３０がフード部１３の内周面に沿うガイド壁３３を有し、第２ハウジング５０がガイド壁３３の内側に嵌合可能とされているが、これに限らず、第１ハウジングはフード部を備えていなくても良く、例えば、ムービングプレートは第１ハウジングに外嵌する外周壁を有するものであってもよく、また例えば第２ハウジングは、第１ハウジングまたは第１ハウジングに外嵌したムービングプレートの外側に嵌合するものであってもよい。
（４）上記実施例では、ムービングプレート３０が、フード部１３の内周面に沿うガイド壁３３を有しているが、これに限らず、ムービングプレートはガイド壁を有さなくても良く、例えばロック片はプレート本体から片持ち状に延びるものとしてもよい。
（５）上記実施例では、ロック片３４が、フード部１３の内周面に係止してムービングプレート３０の前後両方向の移動を規制するロック突部３６を有しているが、これに限らず、例えば、ムービングプレートの前方移動を規制する部分と後方移動を規制する部分とを別々にロック片に設けても良い。
【符号の説明】
【００３７】
Ｃ…コネクタ
１０…第１ハウジング
１１…端子金具
１１Ａ…タブ部
１２…端子保持部
１３…フード部
３０…ムービングプレート
３１…貫通孔
３４…ロック片
３６…ロック突部
３９…係止部
５０…第２ハウジング
【図１】
2017188244.tif 000003
【図２】
2017188244.tif 000004
【図３】
2017188244.tif 000005
【図４】
2017188244.tif 000006
【図５】
2017188244.tif 000007
【図６】
2017188244.tif 000008
【図７】
2017188244.tif 000009